(57)【要約】【課題】  ベルトおよびベルト係止部を表紙と一体に構成して製造工程を簡単にし、コストを安価にし、かつ、使い勝手をよくしたファイルを提供すること。【解決手段】  表裏の両表紙を内側に折畳んで２重にして、一方の表紙の内側片21に折曲線22を残してベルト部材５を形成する第１の切り込み51を入れ、他方の表紙の内側片11の折曲線12を残して挿込穴42を形成する第２の切り込み41を入れて、第１の切込部51を起こしてベルト部材５を形成し、第２の切込部41を起こしてベルト部材５を挿し込む挿込穴42および蓋片４を形成したものである。【選択図】    図２
2007301749.tif 000002
【特許請求の範囲】
【請求項１】
表裏の両表紙を内側に折畳んで２重にして、一方の表紙の内側片に折曲線を残してベルト部材を形成する第１の切り込みを入れ、他方の表紙の内側片の折曲線を残して挿込穴を形成する第２の切り込みを入れて、上記第１の切込部を起こしてベルト部材を形成し、上記第２の切込部を起こして上記ベルト部材を挿し込む挿込穴および蓋片を形成したことを特徴とするファイル。
【請求項２】
２つに折畳んだ細長いシートの折曲線の一方の面を表紙に貼り付ける貼付面とし、他方の面を複数回折り曲げたベルト部材と、
２つに折畳んだシートの折曲線を残して挿込穴を形成する切り込みを入れ、シートの折曲線の一方の面を貼付面としたベルト受部材とを具備し、
上記ベルト部材の貼付面をファイルの一方の表紙に貼り付け、上記ベルト受け部材を他方の表紙に貼り付けて、ファイルをとじたときに、上記ベルト部材を上記ベルト受け部材の挿込穴に挿し込むように構成したしたことを特徴とするファイル。
【請求項３】
ベルト部材の側部に、ベルト受部材の挿込穴と係合する切欠きを形成したことを特徴とする請求項１または請求項２に記載のファイル。
【発明の詳細な説明】
【技術分野】
【０００１】
この発明は、表紙が不用意に開くことを防止するのベルト部材を設けた紙葉を綴じるファイルに関する。
【背景技術】
【０００２】
紙葉を綴じるファイルにおいて、表表紙が不用意に開かないように、ゴムなどの伸縮可能なベルトの両端を裏表紙の上下に固定し、表表紙を閉じたときにベルトを表表紙の表面側に掛け渡すように構成したファイルが下記特許文献１などにより従来から提案されている。
【特許文献１】特開２００４−３４６２２号公報
【発明の開示】
【発明が解決しようとする課題】
【０００３】
このような従来のベルト部材を付けたファイルにおいては、ベルトおよびベルト係止部が、表紙とは別部品で構成されているので、製造工程が多く、コストも高価にならざるを得ず、かつ、使い勝手もよいものではなかった。
【０００４】
そこで、この発明のファイルは、ベルトおよびベルト係止部を表紙と一体に構成して製造工程を簡単にし、コストを安価にし、かつ、使い勝手をよくしたファイルを提供するために考えられたものである。
【課題を解決するための手段】
【０００５】
この発明のファイルは、表裏の両表紙を内側に折畳んで２重にして、一方の表紙の内側片に折曲線を残してベルト部材を形成する第１の切り込みを入れ、他方の表紙の内側片の折曲線を残して挿込穴を形成する第２の切り込みを入れて、上記第１の切込部を起こしてベルト部材を形成し、上記第２の切込部を起こして上記ベルト部材を挿し込む挿込穴および蓋片を形成したものである。
【発明の効果】
【０００６】
この発明は、１枚のシートに切り込みを入れ、折曲げ加工をするだけで、表紙の開放抑止ベルト部材を付設したファイルやバインダーなどの表紙を形成することを可能にして、ベルト部材付きのファイルの製造を極めて容易にし、付加価値を高めた安価な、表紙開放抑止ベルト部材付きのファイルを供給できる。
【０００７】
この発明のファイルは、表紙の開放抑止ベルト部材を付設したファイルを、あらかじめ成形された１枚のシートに切り込み線を入れて、折曲げ加工するだけで、切捨て余材を発生させずに製造するので、資材を有効に利用する。
【０００８】
また、この発明のベルト部材付きのファイルは、使用時にベルト部材が表紙の外面に突出せず、平坦であるので、冊子間の抜き挿しがスムーズで、また、積重ねにも支障なく、整理性に優れ、事務効率を上げることができる。
【発明を実施するための最良の形態】
【０００９】
（第１の実施形態）
この発明のファイルの表紙は、図１の展開図に示すように、折曲線12を谷線としてシート10部分にシート11部分を折り重ねて表表紙を構成し、折曲線22を谷線としてシート20部分にシート21部分を折り重ねて裏表紙を構成し、表裏それぞれの表紙を、２本の折曲線31を谷線として折曲げて、図２の斜視図に示すように、シート３部分を背表紙とするファイルを構成したものである。
【００１０】
この背表紙３となるシート部分の内側には、図２に示すように、周知の金属リングや、樹脂ファスナーなどの綴具61が取り付けられている。この綴具61としては、図示したものの他に、表紙の形態を変更することにより、綴じ形式の異なる綴具に適用することができる。
【００１１】
図１および図２に示すベルト部材５は、裏表紙のシート21部分のほぼ中央部において両端が折曲線22に接した切込線51に沿って切断して舌片状に形成したものであり、折曲線52、53は、ファイルの厚みに対応した位置で、かつ、ベルト部材５を紙葉の綴じ厚に対応させて屈曲させるために形成したものである。  
【００１２】
図１および図２に示す蓋片４は、表表紙のシート部分11のほぼ中央部において両端が折曲線12に接した切込線41に沿って円弧状に切断して、ベルト部材５に対応する位置に形成したものであり、蓋片４を折曲線12に沿って立て起こして形成された穴が、ベルト部材５の挿込穴42になるように構成したものである。
【００１３】
図３は、図２に示すバインダーに紙葉60を綴じて、ベルト部材５を、ベルト部材の挿入穴42に挿し込んで係止した状態を示す要部の断面図であり、ベルト部材５の、折曲線52より前の舌片は、２重表紙10、11の間に安定して収まり、挿込穴42の蓋片４は、ベルト部材５を挿込穴42に挿し込むときには、挿し込みガイドとなり、挿し込みを終えた時点では、ベルト部材５の抜け出し防止の蓋の役目を果たし、また、ベルト部材５の折曲部52、53は、バインダーなどの紙葉60の綴じ厚に応じて角度を変えて順応し、かつ、ベルト部材５の破損を防止する。
【００１４】
（第２の実施形態）
この発明のベルト部材を、ベルト部材を備えていないファイルに付加するためのものである。
【００１５】
図４の斜視図に示すように、ベルト受部材１およびベルト部材２を一対の部品としたものであって、適度の硬さと厚さの合成樹脂などのシートを、打抜成型して一部に切り込みを入れて、折曲げ加工したものであり、ベルト部材を備えていないファイルの表表紙の裏面の辺縁部に、ベルト受部材１の折曲部71を、表表紙の側縁73に揃えて貼付面70を貼り付けて固定し、裏表紙の裏面の辺縁部でベルト受部材１と対応する位置に、ベルト部材２の折曲部81を、裏表紙の側縁83に揃えて貼付面80を貼り付けて固定することにより、ベルト部材を備えていないファイルに、第１の実施形態と同等の機能を付与し、ベルト部材がファイルの表紙の外部に突出しない利便性を発揮させるものである。
【００１６】
（第３の実施形態）
図５の斜視図に示すように、第１の実施形態と同様に、ベルト部材54は、裏表紙のシート部分21のほぼ中央部において両端が折曲線22に接した切込線に沿って切断して舌片状に形成したものである。特に、折曲線52の両端に切込み55を入れ、折曲線52より先端に向かってテーパー56を形成して表表紙の挿込穴42への挿入を容易にし、かつ、折曲線52が挿込穴42まで挿し込まれたときに、切込み55が係合してクリックストップとなるように構成したものであり、第２の実施形態にも適用することができる。
【図面の簡単な説明】
【００１７】
【図１】この発明の第１の実施形態の表紙を展開した状態を示す平面図、
【図２】この発明の第１の実施形態を示す斜視図、
【図３】この発明の第１の実施形態におけるベルト機構の係止状態を示す要部の断面図、
【図４】この発明のベルト機構を部品化した第２の実施形態を示す斜視図、
【図５】この発明の第３の実施形態におけるベルト機構を示す要部の拡大展開図である。
【符号の説明】
【００１８】
１  ベルト受部材
２  ベルト部材
３  背表紙
４  ベルト挿込穴の蓋片
５  ベルト部材
10  表紙の表表紙を構成する部分
11  表表紙の折返片
12  表表紙の折返線
20  表紙の裏表紙を構成する部分
21  裏表紙の折返片
22  裏表紙の折返線
31  背表紙と表裏表紙間の折返線
42  ベルト挿込穴
51  ベルト切込線
52、53  ベルト折曲線
60  紙葉
61  綴具
70  貼付面
71  折曲部  
80  貼付面
81  折曲部
73  ベルト機構のないファイルの表表紙の縁端
83  ベルト機構のないファイルの裏表紙の縁端
【図１】
2007301749.tif 000003
【図２】
2007301749.tif 000004
【図３】
2007301749.tif 000005
【図４】
2007301749.tif 000006
【図５】
2007301749.tif 000007